(57)【要約】【課題】設置および撤去が容易で、運搬や保管に便利な仮設作業用構造物の屋根構造を実現するための手段を提供する。【解決手段】仮設作業用構造物１は、複数の支持部材３が互いに連結された囲い２と、囲い２の上に並べて載せ置かれた複数の矩形のパネル１１により構成される仮設屋根１０を備える。複数のパネル１１の各々は、平行に配置された２本の長尺の縦部材２０と、２本の縦部材２０に架け渡された複数本の横部材３０と、２本の縦部材２０の高さ範囲内において複数本の横部材３０に取り付けられ、パネル１１の外縁に向かい下がる勾配を有する板状部材４０とを備える。【選択図】図２
2017128888.tif 000002
【特許請求の範囲】
【請求項１】
仮設屋根を構成する矩形のパネルであって、
平行に配置された２本の長尺の縦部材と、
前記２本の縦部材に架け渡された複数の横部材と、
前記２本の縦部材の高さ範囲内において前記複数の横部材に取り付けられ、前記パネルの外縁に向かい下がる勾配を有する板状部材と
を備えるパネル。
【請求項２】
前記板状部材は、前記２本の縦部材の長手方向に沿った方向が流れ方向となる切妻屋根形状または片流れ屋根形状である
請求項１に記載のパネル。
【請求項３】
前記板状部材は１以上の波板により構成される
請求項１または２に記載のパネル。
【請求項４】
複数の支持部材と、
前記複数の支持部材の上に載置された１以上の請求項１乃至３のいずれか１項に記載のパネルと
を備える仮設作業用構造物。
【発明の詳細な説明】
【技術分野】
【０００１】
本発明は、仮設屋根を構成するパネルに関する。
【背景技術】
【０００２】
特許文献１には、２つの屋根片（ａ）を結合し、結合したそれらの屋根片（ａ）の接合部下方に山形の中央補強体（ｂ）を取り付け、また、結合したそれらの屋根片（ａ）の縁部下方に三角状の先端台座（ｃ）を取り付け、一方の縁部下方の先端台座（ｃ）と他方の縁部下方の先端台座（ｃ）とを引張軸体（ｄ）により連結した組立屋根盤（Ａ）が開示されている（本願図６参照）。
【先行技術文献】
【特許文献】
【０００３】
【特許文献１】特開２０００−１６０６８９号公報
【発明の概要】
【発明が解決しようとする課題】
【０００４】
工事の際に資材の組み立て等の作業を行うための空間を作り出す仮設作業用構造物が必要となる場合がある。仮設作業用構造物は、通常の構造物と比較し同じ場所における利用期間が短いため、その設置と撤去が容易である必要がある。また、再利用が可能であり、不使用時の運搬や保管に便利なように嵩張らないことが望ましい。
【０００５】
上記のような制約がある仮設作業用構造物の屋根は、可能な限り単純な構造のものが望ましい。特許文献１に開示の組立屋根盤は、２つの屋根片の結合部分を棟とし、棟の両側が斜面となる、切妻屋根と呼ばれる構造をしている。切妻屋根は、降雨または降雪の際、雨または雪が棟の両側に流れ落ちる両流れ屋根のうち、最も構造が単純なものである。構造が単純な屋根としては、切妻屋根の他に、一枚の屋根片を単純に傾斜させた片流れ屋根と呼ばれるものがある。従って、仮設作業用構造物の屋根の構造としては、切妻屋根または片流れ屋根が採用される場合が多い。
【０００６】
特許文献１に開示の組立屋根盤は、傾斜している屋根片を柱（杆）の上に固定するために、両側の端部下方に先端台座を取り付ける必要がある。また、両流れの形状を保つために、棟下部分に山形の中央補強体を取り付けるとともに、両側の先端台座を引張軸体で連結する必要がある。従って、特許文献１に開示の組立屋根盤の組み立ておよび分解には手間と時間を要する。また、特許文献１に開示の組立屋根盤は分解せずに積み重ねることは困難である。従って、特許文献１に開示の組立屋根盤は運搬や保管の際にはその都度、分解する必要がある。
【０００７】
片流れ屋根は、屋根自体の構造は一枚の屋根片を傾斜させただけの単純なものである。しかしながら、屋根片を傾斜させて柱の上に固定するために、切妻屋根の場合と同様に、特殊な構造の連結部材の取り付けを要する。また、傾斜した屋根片を支持するために、傾斜方向の上端側で屋根片を支持する柱と傾斜方向の下端側で屋根片を支持する柱の長さを異ならせる必要がある。このように、片流れ屋根は屋根自体の構造は単純でも、屋根を支持する構造物が複雑な構造となってしまう場合が多い。
【０００８】
本発明は、上記の事情に鑑み、設置および撤去が容易で、運搬や保管に便利な仮設作業用構造物の屋根構造を実現するための手段を提供することを目的とする。
【課題を解決するための手段】
【０００９】
上記の目的を達成するため、本発明は、仮設屋根を構成する矩形のパネルであって、平行に配置された２本の長尺の縦部材と、前記２本の縦部材に架け渡された複数の横部材と、前記２本の縦部材の高さ範囲内において前記複数の横部材に取り付けられ、前記パネルの外縁に向かい下がる勾配を有する板状部材とを備えるパネルを提案する。
【００１０】
上記のパネルの望ましい態様において、前記板状部材は、前記２本の縦部材の長手方向に沿った方向が流れ方向となる切妻屋根形状または片流れ屋根形状である、という構成が採用されてもよい。
【００１１】
また、上記のパネルの望ましい態様において、前記板状部材は１以上の波板により構成される、という構成が採用されてもよい。
【００１２】
また、本発明は、複数の支持部材と、前記複数の支持部材の上に載置された上記のパネルとを備える仮設作業用構造物を提案する。
【発明の効果】
【００１３】
本発明によれば、仮設作業用構造物の柱の上に複数のパネルを並べて載せ置いて固定すれば当該仮設作業用構造物の屋根の組み立てが完了する。その際、特殊な連結部材を用いた取り付け作業等は要さない。従って、分解もまた容易である。さらに、本発明によれば、分解後のパネルは複数枚を重ね置くことができ、運搬および保管に便利である。
【図面の簡単な説明】
【００１４】
【図１】仮設作業用構造物１の概略を示す斜視図。
【図２】パネル１１の構成を示す斜視図。
【図３】図２（ｂ）に示すＡ−Ａ線におけるパネル１１の断面図。
【図４】図３に示すＢ−Ｂ線における縦部材２０の断面図。
【図５】変形例を示す断面図。
【図６】従来技術を示す図。
【発明を実施するための形態】
【００１５】
以下に、本発明の実施形態の一例を説明する。図１は、仮設作業用構造物１の概略を示す斜視図である。仮設作業用構造物１は、作業空間を囲う囲い２と、囲い２の上に載せ置かれた仮設屋根１０とを備える。囲い２は、作業空間を囲うように配置された複数の支持部材３を互いに連結したものである。支持部材３は、例えば、ビティ足場である。仮設屋根１０は、１以上の矩形のパネル１１を並べたものである。図１の例では、仮設屋根１０は５枚のパネル１１で構成されているが、その枚数は５枚に限られない。
【００１６】
図２は、パネル１１の構成を示す斜視図である。パネル１１の主な構成要素は、２本の長尺の縦部材２０、複数本の横部材３０、屈曲した１枚の板状部材４０である。図２（ａ）は、板状部材４０が取り付けられる前の未完成のパネル１１を示す。図２（ｂ）は、図２（ａ）に示す構成に対して板状部材４０が取り付けられ完成した状態のパネル１１を示す。
【００１７】
図２に示されるように、２本の縦部材２０は互いに平行に配置されている。また、複数本の横部材３０の各々は、２本の縦部材２０に架け渡されている。板状部材４０は、複数の横部材３０の上を覆うように配置された状態で横部材３０の各々に取り付けられている。
【００１８】
図３は、図２（ｂ）に示すＡ−Ａ線におけるパネル１１の断面図である。図４は、図３に示すＢ−Ｂ線における縦部材２０の断面図である。図４は、図２（ｂ）における奥側の縦部材２０の断面形状を図示したものであるが、手前側の縦部材２０の断面形状は、図４に示すものと左右対称となる。
【００１９】
図４に示されるように、１本の縦部材２０は、２本のリップ溝形鋼２１と、複数枚の平鋼２２で構成される。１本の縦部材２０を構成する２本のリップ溝形鋼２１は、溝の設けられていないウェブにおいて互いに接合され、全体としてＨ形鋼と似た形状を呈している。互いに接合された２本のリップ溝形鋼２１のうちの一方（図４の右側のリップ溝形鋼２１）の溝の設けられている側面上には、複数の横部材３０の各々に応じた位置に平鋼２２が、上側のリップと下側のリップに架け渡された状態で接合されている。
【００２０】
２本のリップ溝形鋼２１の接合と、リップ溝形鋼２１と平鋼２２の接合は、例えば溶接により行われる。ただし、これらの部材の接合の方法は溶接に限られず、例えばボルトとナットの締め付けによって行われてもよい。
【００２１】
上記のように構成された２本の縦部材２０は、平鋼２２が設けられた側が互いに対向する向きで、互いに平行に配置されている。
【００２２】
複数本の横部材３０の各々は山形鋼（アングル）である。横部材３０の両端は各々、縦部材２０の対応する位置に取り付けられた平鋼２２に、例えば溶接により取り付けられている。すなわち、図２（ａ）及び図３に示されるように、縦部材２０の長手方向において概ね等間隔を空けて取り付けられた複数の平鋼２２の各々に、横部材３０の端部が取り付けられている。
【００２３】
ここで注目すべき点は、平鋼２２に対する横部材３０の高さ方向における取り付け位置が、全体として山形を描くように調整されている、という点である。より具体的には、２本の縦部材２０の長手方向における概ね中央に位置する横部材３０（図２（ａ）及び図３の例では、両端から５つめの横部材３０）の取り付け位置が最も高く、この位置からパネル１１の外縁に向かい、横部材３０の取り付け位置が徐々に低くなっている。これは、次に説明する板状部材４０に両流れの傾斜を付けるためである。
【００２４】
板状部材４０は１枚または複数枚の波板で構成される。板状部材４０を構成する波板は、降雨または降雪の際、雨または雪が２本の縦部材２０の長手方向に沿った方向に流れるように、その谷の延伸方向が２本の縦部材２０の長手方向に沿った方向となるように配置されている。なお、板状部材４０を構成する波板の素材は、トタン、樹脂等のいずれであってもよい。
【００２５】
板状部材４０が複数枚の波板で構成される場合、互いに隣接する波板が隣接する縁部領域の１以上の山または谷で重なるように配置されている。そのため、降雨または降雪の際に、複数枚の波板の隙間から雨または雪が漏れ落ちることはない。なお、止水性を高めるために、互いに隣接する波板の縁部領域において、それらの波板がテープ等で貼り合わせられていてもよい。
【００２６】
板状部材４０は、複数本の横部材３０の上に、それらを覆うように載せ置かれた状態で、例えばフックボルトにより、接する横部材３０に取り付けられている。図２（ｂ）及び図３に示されるように、板状部材４０は、２本の縦部材２０の長手方向における概ね中央の位置から外側（パネル１１の外縁）に向かい下がる勾配を有する。すなわち、板状部材４０は、２本の縦部材２０の長手方向に沿った方向が流れ方向となる切妻屋根形状を呈する。図２（ｂ）及び図３に示すライン４１は、当該切妻屋根形状を呈する板状部材４０の頂部である。
【００２７】
なお、板状部材４０のライン４１における屈曲は、波板の折り曲げにより実現されてもよいし、例えば、ライン４１上で縁辺が互いに接するように、ライン４１の両側に異なる波板を配置することにより実現されてもよい。後者の場合、ライン４１上で互いに接する波板の隙間から雨や雪が漏れ落ちないように、ライン４１上に配置された止水テープ等によりそれらの波板が互いに連結されていることが望ましい。
【００２８】
また、図２（ｂ）及び図３に示されるように、板状部材４０は、２本の縦部材２０の高さ範囲内において複数の横部材３０に取り付けられている。すなわち、板状部材４０は、２本の縦部材２０の上面より上、もしくはそれらの下面より下にはみ出すことはない。
【００２９】
複数の横部材３０の各々の高さ方向における位置は、それらに取り付けられる板状部材４０が上述した形状および位置となるように調整されている。また、複数の横部材３０の各々の板状部材４０と接する面が板状部材４０に沿って勾配を有するように、横部材３０の長手方向を軸とする軸周りの角度が調整されている。
【００３０】
上記のように構成されるパネル１１は、仮設作業用構造物１の設置の際に、囲い２の組み立てが完了した後、クレーン等により吊り上げられ、囲い２の上に必要な枚数だけ並べて載せ置かれる（図１参照）。なお、パネル１１は、囲い２の上に直接載せ置かれてもよいが、パネル１１を囲い２に載せ置く際の騒音低減等のために、パネル１１と囲い２の間にスポンジ等の緩衝材が配置されてもよい。また、強風によりパネル１１が吹き飛ばされたり、地震によりパネル１１が囲い２の上から滑り落ちたりしないように、パネル１１がボルト、フック等により囲い２に連結されてもよい。
【００３１】
上述したパネル１１によれば、仮設作業用構造物１の設置の際、囲い２の上に必要な枚数のパネル１１を並べて載せ置くだけで、仮設作業用構造物１の仮設屋根１０の組み立てが完了する。また、ボルトやフック等によりパネル１１が囲い２に対し連結される場合でも、囲い２に接するパネル１１の縦部材２０は水平面に対し傾斜させる必要がないため、その連結に特殊な連結部材等を用いる必要がなく、連結作業が容易である。仮設作業用構造物１の撤去の際には、上述した組み立て時の逆の作業により、容易にパネル１１を囲い２から取り外すことができる。
【００３２】
また、パネル１１は、板状部材４０が高さ方向において縦部材２０の高さ範囲内に収まっている。従って、同じサイズの複数枚のパネル１１を段積みすることができる。複数枚のパネル１１が段積みされた状態において、それらのパネル１１の板状部材４０は互いに直接接することはない。従って、段積み時に板状部材４０が隣接するパネル１１との接触等により破損することはない。このように、パネル１１は段積みが可能であるため、運搬や保管において嵩張らず便利である。
【００３３】
＜変形例＞
上記の実施形態は本発明の一実施形態であって、様々に変形され得る。以下にそれらの変形の例を示す。
＜変形例１＞
図５は、一変形例にかかるパネル１１の断面図である。図５の断面図は、上記の実施形態に関する図３と同じ方向の断面を示す。この変形例では、板状部材４０が、２本の縦部材２０の長手方向における一方の縁辺（パネル１１の一方の外縁）から他方の縁辺（パネル１１の他方の外縁）に向かい下がる勾配を有する。すなわち、板状部材４０は、２本の縦部材２０の長手方向に沿った方向が流れ方向となる片流れ根形状を呈する。
【００３４】
板状部材４０が上記の形状を成すように、この変形例においては、複数の横部材３０の各々の高さ方向における取り付け位置が、一方の縁辺（図５の右側の縁辺）から他方の縁辺（図５の左側の縁辺）に向かい徐々に低くなるように調整されている。
【００３５】
＜変形例２＞
上記の実施形態においてパネル１１に採用されている部材の種別、数量、材料等は様々に変更可能である。例えば、上記の実施形態においては、互いに接合された２本のリップ溝形鋼２１が１本の縦部材２０を構成している。リップ溝形鋼２１に代えて、例えば軽溝形鋼等の他の種別の部材が用いられてもよい。また、互いに接合された２本のリップ溝形鋼２１に代えて、例えば１本のＨ形鋼等の他の種別の部材が用いられてもよい。また、縦部材２０の長手方向のスパンが短く必要とされる強度が小さければ、１本の縦部材２０が１本のリップ溝形鋼で構成されてもよい。
【００３６】
また、上記の実施形態においては、板状部材４０に波板が採用されている。板状部材４０の形状は波形に限られず、例えば平坦な板材が板状部材４０として採用されてもよい。
【００３７】
また、上記の実施形態においては、横部材３０に山形鋼が採用されている。山形鋼に代えて、例えば軽山形鋼等の他の種別の部材が横部材３０として採用されてもよい。
【００３８】
＜変形例３＞
上記の実施形態において板状部材４０は、縦部材２０の長手方向における概ね中央に頂部を持つ切妻屋根形状を呈する。板状部材４０が切妻屋根形状を呈する場合、縦部材２０の長手方向における頂部の位置は中央でなくてもよい。
【００３９】
＜変形例４＞
上記の実施形態において図１乃至図３に示したパネル１１の形状やパネル１１を構成する構成要素の数量はあくまで例示であって、他の様々な形状や数量が採用されてもよい。例えば、横部材３０の本数は図２および図３の例では９本であるが、８本以下または１０本以上であってもよい。
【符号の説明】
【００４０】
１…仮設作業用構造物、２…囲い、３…支持部材、１０…仮設屋根、１１…パネル、２０…縦部材、２１…リップ溝形鋼、２２…平鋼、３０…横部材、４０…板状部材
【図１】
2017128888.tif 000003
【図２】
2017128888.tif 000004
【図３】
2017128888.tif 000005
【図４】
2017128888.tif 000006
【図５】
2017128888.tif 000007
【図６】
2017128888.tif 000008
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
仮設屋根を構成する矩形のパネルであって、
平行に配置された２本の長尺の縦部材と、
前記２本の縦部材に架け渡された複数の横部材と、
前記２本の縦部材の高さ範囲内において前記複数の横部材に取り付けられ、前記２本の縦部材の高さ範囲内において前記２本の縦部材の各々の下面を含む平面に対し傾斜し前記パネルの外縁に向かい下がる勾配を有する板状部材と
を備えるパネル。
【請求項２】
前記板状部材は、前記２本の縦部材の長手方向に沿った方向が流れ方向となる切妻屋根形状または片流れ屋根形状である
請求項１に記載のパネル。
【請求項３】
前記板状部材は１以上の波板により構成される
請求項１または２に記載のパネル。
【請求項４】
複数の支持部材と、
前記複数の支持部材の上に載置された１以上の請求項１乃至３のいずれか１項に記載のパネルと
を備える仮設作業用構造物。
【手続補正２】
【補正対象書類名】明細書
【補正対象項目名】０００９
【補正方法】変更
【補正の内容】
【０００９】
上記の目的を達成するため、本発明は、仮設屋根を構成する矩形のパネルであって、平行に配置された２本の長尺の縦部材と、前記２本の縦部材に架け渡された複数の横部材と、前記２本の縦部材の高さ範囲内において前記複数の横部材に取り付けられ、前記２本の縦部材の高さ範囲内において前記２本の縦部材の各々の下面を含む平面に対し傾斜し前記パネルの外縁に向かい下がる勾配を有する板状部材とを備えるパネルを提案する。